(57)【要約】【課題】  複数の選局部を搭載する受信装置において、隣接チャンネル妨害の存在する環境下であっても、妨害波の影響を抑え、最適な受信状態を保持することを可能にする。【解決手段】  上記課題に対して、受信した信号を周波数変換する第１の受信部と、受信した信号を周波数変換する第２の受信部と、第１の受信部及び第２の受信部で、それぞれ共通に第１の周波数の信号を受信した場合とそれぞれ共通に第２の周波数の信号を受信した場合とで、当該周波数を変換させるパラメータを切り換えるよう制御する受信装置を提供する。。【選択図】  図３
2009225388.tif 000002
【特許請求の範囲】
【請求項１】
受信した信号を周波数変換する第１の受信部と、
受信した信号を周波数変換する第２の受信部と、
前記第１の受信部及び前記第２の受信部で、それぞれ共通に第１の周波数の信号を受信した場合とそれぞれ共通に第２の周波数の信号を受信した場合とで、当該周波数を変換させるパラメータを切り換えるよう制御する受信装置。
【請求項２】
請求項１の受信装置であって、
前記制御部は、前記パラメータを切り換えて結果を比較することで、変換させるパラメータを決定する受信装置。
【請求項３】
受信した信号を周波数変換する第１の受信部と、
受信した信号を周波数変換する第２の受信部と、
前記第１の受信部と前記第２の受信部とで、それぞれ共通に第１の周波数の信号を受信したときには、当該第１の周波数を変換させるパラメータを前記第１の受信部と前記第２の受信部とで相違させ、前記第１の周波数とは異なる第２の周波数の信号を受信したときには、当該第２の周波数を変換させるパラメータを前記第１の受信部と前記第２の受信部とで共通させるよう制御する受信装置。
【請求項４】
請求項３の受信装置であって、
前記制御部は、前記パラメータを切り換えて結果を比較することで、相違させるか共通させるかを判断する受信装置。
【請求項５】
放送局から送信された地上波デジタル放送のＲＦ信号を少なくとも２つの信号に分配する分配部と、
特定の周波数間隔（ｆｓｔｅｐ［ＭＨｚ］）で局部発振信号を生成する局部発振部と、
前記分配部により分配されたＲＦ信号と前記局部発振部により生成された局部発振信号とを乗算することにより、所望の物理チャンネルの信号をＩＦ信号に周波数変換する選局部と、
前記選局部により周波数変換されたＩＦ信号をデジタル復調する復調部と、
前記復調部から受信信号の品質を取得する信号品質取得部と、
前記局部発振部と前記選局部と前記復調部と前記信号品質取得部とを制御する制御部と、を備え、
前記局部発振部と前記選局部と前記復調部と前記信号品質取得部とをそれぞれ複数有する受信装置において、
前記複数の選局部のうち、少なくとも２つの選局部で周波数変換される物理チャンネルが同一である場合に、
前記制御部は、前記複数の局部発振部のうち一方の局部発振部が発生する局部発振周波数に対して、他方の局部発振部で発生する局部発振周波数が同一の場合と、±ｍ×ｆｓｔｅｐ［ＭＨｚ］（ｍは整数）ずらした場合とのそれぞれで、前記複数の信号品質取得部で取得した信号品質情報を比較し、
前記複数の復調部における受信状態が最も良い状態となるように、前記複数の局部発振部で発生する局部発振信号の周波数を算出するように制御する受信装置。
【請求項６】
請求項５の受信装置において、
前記復調部は、
前記選局部により周波数変換されたＩＦ信号をデジタル信号に変換するＡ／Ｄ変換部と、
前記Ａ／Ｄ変換部により変換されたデジタル信号をベースバンド信号に直交復調する直交復調部と、
前記直交復調部により直交復調されたベースバンド信号をＦＦＴ演算により周波数領域信号に変換するＦＦＴ演算部と、
前記ＦＦＴ演算部により変換された周波数領域信号を検波してデータを復号する検波部と、
前記検波部により復号されたデータの誤りを訂正する誤り訂正部と、
を有する受信装置
【請求項７】
請求項６の受信装置において、
前記信号品質取得部により取得される信号品質情報は、前記検波部において検出される搬送波電力対雑音電力比（ＣＮＲ）と信号電力対雑音電力比（ＳＮＲ）と変調誤差比（ＭＥＲ）のうち、少なくとも一つである受信装置。
【請求項８】
請求項６の受信装置において、
前記信号品質取得部により取得される信号品質情報は、前記誤り訂正部において検出されるビット誤り率（ＢＥＲ）とパケット誤り率（ＰＥＲ）のうち、少なくとも一つである受信装置。
【請求項９】
請求項１から４のいずれかの受信装置において、
前記複数の復調部でデジタル復調されたデータを多重分離する多重分離部と、
前記多重分離部により多重分離された映像コンポーネントを復号する映像復号部と、
前記多重分離部により多重分離された音声コンポーネントを復号する音声復号部と、
を有する受信装置。
【請求項１０】
請求項９の受信装置において、
前記映像復号部により復号された映像信号を表示する映像表示部、
を有する受信装置。
【請求項１１】
請求項９の受信装置において、
前記音声復号部により復号された音声信号を出力する音声出力部、
を有する受信装置。
【請求項１２】
複数の受信部を有する受信装置でのチャンネルリスト作成方法において、
チャンネルテーブルに存在する最小の物理チャンネル番号を選択する最小物理チャンネル選択ステップと、
最小物理チャンネル番号に応じた選局周波数を選択する選局周波数選択ステップと、
前記複数の受信部のうち第１の受信部で前記選択された選局周波数の信号を選局する第１の選局ステップと、
前記第１の受信部において選局された信号をデジタル復調および誤り訂正処理を施すデジタル放送受信ステップと、
前記第１の受信部において選局された信号にデジタル放送信号が含まれるか否かを判断するデジタル放送判別ステップと、
前記デジタル放送判別ステップにおいて、前記選択した物理チャンネルに地上デジタル放送信号が含まれている場合、
前記複数の受信部のうち第２の受信部で前記選択された選局周波数の信号を選局する第２の選局ステップと、
前記第１の受信部において受信しているデジタル放送の受信状態を取得する第1の受信状態取得ステップと、
前記第２の受信部において前記選択された選局周波数から１ステップずらして選局する第３の選局ステップと、
前記第１の受信部で受信しているデジタル放送の受信状態を取得する第２の受信状態取得ステップと、
前記第１の受信状態取得ステップで取得した受信状態と、第２の受信状態取得ステップで取得した受信状態とを比較する受信状態比較ステップと、
前記受信状態比較ステップの比較結果から前記第２の受信部の選局周波数として適する選局周波数を判別する選局周波数判別ステップと、
前記選局周波数判別ステップにより判別した選局周波数と物理チャンネル番号とを関連付けて登録するチャンネルリスト登録ステップと、
を有するチャンネルリスト作成方法。
【発明の詳細な説明】
【技術分野】
【０００１】
技術分野は、複数の選局部を搭載する受信装置の制御方法に関する。
【背景技術】
【０００２】
近年、世界的にテレビ放送のアナログ方式からデジタル方式への移行が推進されており、各国で地上デジタル放送が開始されている。日本における地上デジタル放送方式は、直交周波数分割多重（ＯＦＤＭ：Orthogonal Frequency Division Multiplexing）方式が用いられ、ＩＳＤＢ−Ｔ（Integrated Service Digital Broadcasting Terrestrial）規格として運用されている。一方、欧州における地上デジタル放送方式でも、ＯＦＤＭ方式が用いられ、ＤＶＢ−Ｔ(Digital Video Broadcasting-Terrestrial)規格として運用されている。
【０００３】
このＯＦＤＭ方式は伝送帯域内に多数の直交するサブキャリアを設け、それぞれのサブキャリアを直交振幅変調（ＱＡＭ：Quadrature Amplitude Modulation）などによりデジタル変調する方式である。また、ＯＦＤＭ方式によるデジタル放送信号には、一般にコンティニュアルパイロット（以下、ＣＰ(Continual Pilot)）信号やスキャッタドパイロット（以下、ＳＰ(Scattered Pilot)）が含まれている。このＣＰ信号やＳＰ信号は伝送帯域内の複数のサブキャリアに配置され、配置されるサブキャリアのキャリア位置がＤＶＢ−Ｔ規格で定められている。（例えば、非特許文献１参照）
このＣＰ信号やＳＰ信号を使用してＯＦＤＭ方式によるデジタル放送信号のキャリア周波数誤差を算出する方法として、高速フーリエ変換（ＦＦＴ：Fast Fourier Transform）後のＯＦＤＭ周波数領域信号を角度データに変換した後、この角度データに対して時間的に前後したシンボル間で２回の差分検出を行うことによってＣＰ信号を抽出し、抽出したＣＰ信号からサブキャリア位置が本来のサブキャリア位置からどの程度シフトしているかを算出することによって、ＯＦＤＭ信号の広帯域キャリア周波数誤差を算出する技術が開示されている（例えば、特許文献１参照）。
【０００４】
ところで、近年のデジタル放送受信装置では、伝送媒体毎に複数の選局部を搭載する受信装置が発売されている。例えば、衛星デジタル放送用チューナを２つ搭載したものや、地上デジタル放送用チューナを２つ搭載したものなどである。このような複数の選局部を搭載する受信装置において、複数の選局部が同一の物理チャンネルを選局した場合に、選局部で使用する局部発振器によって発生する信号が相互に干渉しあい、局部発振周波数の純度劣化となることがある。
【０００５】
このような複数の選局部を搭載する受信装置において、同一物理チャンネルが選局された場合に、仮に相互干渉があった場合でも突出した等価Ｃ／Ｎの局所的な劣化が生じないようにＰＬＬ回路の局部発振周波数を変位させ、各局部発信器間の相互干渉を低減し局部発振周波数の純度劣化を防止する技術が開示されている（例えば、特許文献２参照）。
【０００６】
【特許文献１】特開２００１−３０８８２１号公報
【特許文献２】特開２００６−１７３９２２号公報
【非特許文献１】欧州地上デジタル放送規格 ETSI EN 300 744 V1.5.1 (2004-06)“Digital Video Broadcasting (DVB); Framing structure, channel coding and modulation for digital terrestrial television”
【発明の開示】
【発明が解決しようとする課題】
【０００７】
地上波放送の場合、特に放送エリアの境界付近では、隣接する物理チャンネルにアナログ放送信号やデジタル放送信号が伝送されている場合がある。このような環境において、特許文献２のような従来技術を適用した放送受信装置では、隣接チャンネルに妨害波がある場合に、局部発振器の発振周波数をずらすと、隣接チャンネルの妨害波も含んでしまい、受信性能が劣化するという課題がある。
【課題を解決するための手段】
【０００８】
そこで、本明細書では例えば、複数の選局部を搭載する受信装置において、隣接する物理チャンネルにアナログ放送信号やデジタル放送信号が伝送されている環境下であっても、妨害波の影響を抑え、受信状態の劣化を抑えることを可能にする受信装置及び受信装置の制御方法を提供する。
【０００９】
具体的に受信した信号を周波数変換する第１の受信部と、受信した信号を周波数変換する第２の受信部と、第１の受信部及び第２の受信部で、それぞれ共通に第１の周波数の信号を受信した場合とそれぞれ共通に第２の周波数の信号を受信した場合とで、当該周波数を変換させるパラメータを切り換えるよう制御する受信装置を提供する。
【発明の効果】
【００１０】
上記手段によれば例えば、複数の選局部を搭載する受信装置において、隣接する物理チャンネルにアナログ放送信号やデジタル放送信号が伝送されている環境下であっても、妨害波の影響を抑え、受信状態の劣化を抑えることを可能にする。
【発明を実施するための最良の形態】
【００１１】
発明を実施する好適な実施形態の例（実施例）を説明する。ただし、本発明が本実施例に限定されるものではない。
【００１２】
本実施例では、地上デジタル放送方式として、欧州地域での地上波デジタル放送方式であるＤＶＢ−Ｔ規格を例にして説明する。欧州地域での地上デジタル放送では、隣接チャンネルに配置された既存のアナログ放送からの妨害を軽減することを主な目的として、チャンネル帯域幅の中心周波数からオフセットさせて送信することが可能とされている。この周波数オフセット量は、「オフセットなし」・「＋１／６ＭＨｚ」・「−１／６ＭＨｚ」・「＋２／６ＭＨｚ」・「−２／６ＭＨｚ」・「＋３／６ＭＨｚ」・「−３／６ＭＨｚ」の中から、送信側により選択される。実際の運用では、「オフセットなし」・「＋１／６ＭＨｚ」・「−１／６ＭＨｚ」が広く使用されている。
【００１３】
以下、実施例について図面を参照して詳述する。なお、図面において、同一符号は同一または相当部分を示す。
【実施例１】
【００１４】
図１は、地上デジタル放送受信装置の概略例を示すブロック図である。図１において、地上デジタル放送受信装置１は、第１の選局部２と第２の選局部３と、広帯域アンプ４a及び４ｂ、分配器５と、ミキサ回路６a及び６ｂと、局部発振器７a及び７ｂと、ＰＬＬ（Phase Locked Loop）回路８a及び８ｂと、ＳＡＷ（Surface Acoustic Wave）フィルタ９a及び９ｂと、ＡＧＣ（Automatic Gain Control）アンプ１０aと１０ｂと、復調部１１aと１１ｂと、多重分離部１２と、映像復号部１３と、音声復号部１４と、制御部１７と、不揮発性メモリ１８と、記憶媒体１９と、を備える。また、図１において、第１の選局部２と第２の選局部３の構成では、説明の便宜上、添え字“a”“ｂ”を付して区別しているが、同一番号を付したブロックは同一の動作をするものとする。分配器５は選局部２と選局部３のどちらにあっても構わない。また、分配器がなくそれぞれ独立に信号を入力しても構わない。
【００１５】
図２は、地上デジタル放送受信装置の復調部１１a及び復調部１１ｂにおける動作例を説明するためのブロック図である。図２において、復調部１１は、Ａ／Ｄ変換部２１と、直交復調部２２と、周波数誤差補正部２３と、ＦＦＴ演算部２４と、周波数誤差算出部２５と、等化処理部２６と、ＴＰＳ（Transmission Parameter Signaling）復調部２７と、検波部２８と、誤り訂正部２９と、復調制御部３０と、を備える。
【００１６】
この地上デジタル放送受信装置１では、例えば、放送局から送信された地上波デジタル放送信号を受信アンテナ２０で受信したＲＦ信号が、地上デジタル放送受信装置１の入力として供給される。
【００１７】
地上デジタル放送受信装置１の入力として供給されたＲＦ（Radio Frequency、高周波）信号は、第１の選局部２に供給される。第１の選局部２に供給されたＲＦ信号は広帯域アンプ４aに供給される。広帯域アンプ４aは供給されたＲＦ信号を増幅し、分配器５に供給する。分配器５に供給されたＲＦ信号は分配されミキサ回路６a及び第２の選局部３に供給される。ミキサ回路６aに供給されたＲＦ信号は、局部発振器７aで生成された局部発振信号との乗算によりＩＦ（Intermediate Frequency、中間周波）信号に周波数変換され、ＳＡＷフィルタ９aに供給される。局部発信器７aで生成される局部発振信号の局部発信周波数は、ＰＬＬ回路８aから出力される制御電圧によって制御される。また、局部発振周波数は周波数軸上で不連続的に設定されるものであって、本実施例の地上デジタル放送受信装置では、１／６ＭＨｚステップで設定されるものとする。以降、ｆstep＝１／６ＭＨｚと定義する。
【００１８】
ＳＡＷフィルタ９aに供給されたＩＦ信号は帯域制限され、ＡＧＣアンプ１０aに供給される。ここで、図１には図示していないが、ＳＡＷフィルタ９aの通過帯域幅は、例えば、７ＭＨｚと８ＭＨｚのように複数の通過帯域特性を有し、ＰＬＬ８aへの制御データによって制御することが可能である。ＡＧＣアンプ１０aに供給されたＩＦ信号は復調部１１aの入力レベルとして適正となるように増幅され、復調部１１aに供給される。
【００１９】
復調部１１aに供給されたＩＦ信号は、復調部１１a内のＡ／Ｄ変換部２１に供給される。Ａ／Ｄ変換部２１は、供給されたＩＦ信号をデジタル信号に変換し、その出力を直交復調部２２に供給する。直交復調部２２は、供給されたデジタル信号を所定の周波数のキャリア信号により、実軸成分を持つＩ信号と虚軸成分を持つＱ信号とを含むベースバンド信号に直交復調し、その出力を周波数誤差補正部２３に供給する。
【００２０】
周波数誤差補正部２３は、供給されたベースバンド信号と周波数誤差算出部２５により生成された周波数誤差補正信号とを乗算することにより、周波数誤差を補正し、周波数誤差補正されたベースバンド信号をＦＦＴ演算部２４に供給する。ＦＦＴ演算部２４は、供給されたベースバンド信号の有効シンボル期間をＦＦＴ処理することにより、サブキャリアに対応した周波数領域信号に変換し、その出力を周波数誤差算出部２５及び等化処理部２６に供給する。
【００２１】
周波数誤差算出部２５は、供給された周波数領域信号をシンボル間差動検波することにより、周波数誤差算出部２５に供給された周波数領域信号に含まれるＣＰ信号が伝送されているサブキャリア配置情報と、ＤＶＢ−Ｔの規格で定められたＣＰ信号が伝送されているサブキャリアの配置情報との相関から、キャリア周波数誤差値を算出し、周波数誤差補正信号生成する。周波数誤差算出部２５により生成された周波数誤差補正信号は、周波数誤差補正部２３に供給される。また、周波数誤差算出部２５により算出された周波数誤差値は復調制御部３０に供給される。周波数誤差補正部２３及び周波数誤差算出部２５により補正可能な周波数誤差範囲は、地上デジタル放送において使用される周波数オフセット量よりも十分に大きな値であることが望ましい。本発明の実施の形態に係る地上デジタル放送受信装置において、ＲＦ信号の地上デジタル放送信号の中心周波数が、第１の選局部２において選局した周波数よりも高い場合には、正の周波数誤差値として算出され、ＲＦ信号の地上デジタル放送信号の中心周波数が、第１の選局部２において選局した周波数よりも低い場合には、負の周波数誤差値として算出されるものとする。
【００２２】
等化処理部２６は、ＳＰ信号を用いて周波数領域信号を等化処理し、その出力をＴＰＳ復調部２７及び検波部２８に供給する。ＴＰＳ復調部２７は、所定のサブキャリアで伝送されているＴＰＳ（Transmission Parameter Signaling）信号を復調する。ＴＰＳ信号には、例えばサブキャリアの変調方式やビタビ符号の符号化率など、ＤＶＢ−Ｔ規格で定められた伝送制御情報を含む。以下、ＴＰＳ復調部２７で得られた伝送制御情報をＴＰＳ情報とする。
【００２３】
ＴＰＳ復調部２７において復調されたＴＰＳ信号は、検波部２８及び誤り訂正部２９及び復調制御部３０に供給される。また、ＴＰＳ復調部２７においてＴＰＳ信号が復号され、ＴＰＳ情報を検出できているか否かを示すＴＰＳ検出信号は復調制御部３０に供給される。ＴＰＳ検出信号の値は、ＴＰＳ復調部２７においてＴＰＳ情報を検出できている場合には“１”、ＴＰＳ情報を検出できていない場合には“０”とする。なお、ＴＰＳ検出信号が“１”であれば、第１の選局部２において選局した物理チャンネルにデジタル放送信号が含まれていると判断できる。
【００２４】
検波部２８は、ＴＰＳ復調部２７から供給されたＴＰＳ情報を元に、等化処理部２６により等化処理された周波数領域信号を各サブキャリアで変調されている変調方式に応じて検波し、デマッピングを行ってデータを復号する。検波部２８において復号されたデータは誤り訂正部２９に供給される。また、図中には示していないが、検波部２８は、供給された周波数領域信号についての信号品質情報を検出し、復調制御部３０に供給する。
【００２５】
ここで信号品質情報とは、搬送波電力対雑音電力比（ＣＮＲ（Carrier to Noise Ratio））と信号電力対雑音電力比（ＳＮＲ（Signal to Noise Ratio））変調誤差比（ＭＥＲ（Modulation Error Ratio））などが挙げられるが、本発明に係る地上デジタル放送受信装置においては、これらに限定されるものではない。なお、信号品質情報が規定値以上であれば、第１の選局部２において選局した物理チャンネルがデジタル放送信号に含まれていると判断することが可能できる。
【００２６】
誤り訂正部２９は、ＴＰＳ復調部２７から供給されたＴＰＳ情報を元に、例えばビタビ符号の符号化率などの情報に従って、供給されたデータを誤り訂正処理し、ＭＰＥＧ−２トランスポートストリーム（MPEG-2 Transport Stream、以下、ＴＳとする）を出力する。誤り訂正部２９から出力されたＴＳは多重分離部１２に供給される。また、誤り訂正部２９では、例えばリードソロモン誤り訂正において、ＴＳ信号のヘッダバイト（４７ＨＥＸ）を検出することにより、誤り訂正処理が同期しているか否かを示す誤り訂正同期信号、及び、ビタビ復号処理におけるビタビ復号後ビット誤り率（ＢＥＲ（Bit Error Rate））またはＲＳ復号処理におけるＲＳ復号後パケット誤り率（ＰＥＲ（Packet Error Rate））を復調制御部３０に供給する。
【００２７】
誤り訂正同期信号の値は、誤り訂正部２９において誤り訂正処理が同期している場合に“１”、同期していない場合に“０”とする。なお、誤り訂正同期信号が“１”、あるいは、誤り訂正処理でのビット誤り率が規定値以下であれば、第１の選局部２において選局した物理チャンネルにデジタル放送信号が含まれていると判断できる。
【００２８】
復調制御部３０は、上述したＡ／Ｄ変換部２１と、直交復調部２２と、周波数誤差補正部２３と、ＦＦＴ演算部２４と、周波数誤差算出部２５と、等化処理部２６と、ＴＰＳ復調部２７と、検波部２８と、誤り訂正部２９とを制御する。また、周波数誤差算出部２５から供給された周波数誤差値と、ＴＰＳ復調部２７から供給されたＴＰＳ情報及びＴＰＳ検出信号と、検波部２８から供給された信号品質情報と、誤り訂正部２９から供給された誤り訂正同期信号及びビタビ復号後ビット誤り率またはＲＳ復号後パケット誤り率とを、制御バスを介して制御部１７に供給する。
【００２９】
この制御バスは、例えばＩ２Ｃ（Inter-Integrated Circuit）バスなどのシリアル通信により、制御部１７からの要求に応じて各情報を供給することこととなる。ただし、本発明に係る地上デジタル放送受信装置においては、これに限定されるものではない。また、ＴＰＳ検出信号は、制御バスを介さずに、ハードウェア割り込みとして制御部１７に供給することも可能である。
【００３０】
さらに復調制御部３０は、制御部１７からの制御（復調部制御信号）によって、ＰＬＬ回路８aに対して制御データ（選局部制御信号）を送信し、局部発信器７aで生成される局部発振信号の局部発信周波数およびＳＡＷフィルタ９aの通過帯域幅のいずれかまたは両方を設定する。ここで復調制御部３０を経由せずに制御部１７から直接制御することも考えられるが、
制御部１７からの復調部制御信号及び選局部制御信号の全てを選局部に送るよりも、選局部に送るべき制御データ（選局部制御信号）のみを復調部において抽出して送るほうが効率的であり、局部発振器で生成される局部発振信号の純度劣化を防ぐことができる。
【００３１】
一方、第２の選局部３に供給されたＲＦ信号は広帯域アンプ４ｂに供給される。広帯域アンプ４ｂは供給されたＲＦ信号を増幅し、ミキサ回路６ｂに供給する。ミキサ回路６ｂ、局部発信器７ｂ、ＰＬＬ回路８ｂ、ＳＡＷフィルタ９ｂ、ＡＧＣアンプ１０ｂ、復調部１１ｂは、第１の選局部２および復調部１１aと同様の動作をするものとする。
【００３２】
多重分離部１２は複数のＴＳを同時に処理することが可能であり、復調部１１aから供給されたＴＳ信号１と復調部１１ｂから供給されたＴＳ信号２とを、映像／音声／データの各コンポーネントに多重分離し、制御部１７により指定されたＰＩＤ（Packet ID）を持つ映像コンポーネントを映像復号部１３に、制御部１７により指定されたＰＩＤを持つ音声コンポーネントを音声復号部１４に供給する。
【００３３】
また、多重分離部１２は、供給されたＴＳ信号からＰＳＩ（Program Specification Information）及びＳＩ（Service Information）に含まれる各種テーブル、例えば、ＰＡＴ（Program Association Table）、ＰＭＴ（Program Map Table）、ＮＩＴ（Network Information Table）、ＳＤＴ（Service Description Table ）など（以下、番組配列情報とする）を取得し、制御部１７に供給する。この番組配列情報を元にチャンネルリストを生成することが可能である。ここで取得するテーブルは、ＤＶＢ−Ｔの規格で定義されたテーブルの内、少なくとも一つを含むものとする。
【００３４】
映像復号部１３は、供給された映像コンポーネントを復号し、映像信号を出力する。地上デジタル放送受信装置１は、映像表示部１５を備えることも可能であり、映像復号部１３から出力された映像信号を映像表示部１５に表示させる。
音声復号部１４は、供給された音声コンポーネントを復号し、音声信号を出力する。地上デジタル放送受信装置１は、音声出力部１６を備えることも可能であり、音声復号部１４から出力された音声信号を音声出力部１６に出力させる。
【００３５】
図１では図示していないが、映像復号部１３を複数備えることも可能であり、例えば、復調部１１aから供給されるＴＳ１から多重分離した映像コンポーネントと復調部１１ｂから供給されるＴＳ２から多重分離した映像コンポーネントとをそれぞれ複数の映像復号部１３で復号し、映像信号を再構成することにより、映像表示部１５の画面上で左右に分割した２画面表示やPicture in Pictureなどの表示が可能である。また、多重分離部１２により多重分離された映像コンポーネントと音声コンポーネントを記録媒体１９に供給することも可能である。例えば、復調部１１aから供給されるＴＳ１から多重分離した映像コンポーネントと音声コンポーネントを映像復号部１３及び音声復号部１４に供給し、復号した映像信号を映像表示部１５に表示させ、復号した音声信号を音声出力部１６に出力させながら、復調部１１ｂから供給されるＴＳ２から多重分離した映像コンポーネントと音声コンポーネントを記憶媒体１９に記録させることにより、裏番組録画を可能とする。
【００３６】
制御部１７は、上述した復調部１１aと、復調部１１ｂと、多重分離部１２と、映像復号部１３と、音声復号部１４と、を制御する。この制御信号を扱う制御ラインとして、シリアルバス、スローバスなどが挙げられるが、本発明に係る実施形態において、制御ラインの種類を限定するものではない。また、制御部１７は、多重分離部から供給された番組配列情報から、受信可能な地上デジタル放送番組のチャンネルリストを作成し、不揮発性メモリ１８に記憶させる。
【００３７】
不揮発性メモリ１８は、制御部１７から供給されたチャンネルリスト、例えば、図２に示すような各国の物理チャンネル番号と中心周波数及びチャンネル帯域幅との関係を示すテーブルと、ＴＰＳ情報と、信号品質情報と、ビタビ復号後ビット誤り率と、ＲＳ復号後パケット誤り率と、を記憶する。
【００３８】
以上のように構成された地上デジタル放送受信装置において、チャンネルリスト作成機能を実行する際の動作について図３及び図４を用いて説明する。
【００３９】
図４は、物理チャンネル番号“Ｎ”と地上デジタル放送の中心周波数及びチャンネル帯域幅との関係を示すテーブルの一例であり、中心周波数の単位はＭＨｚである。図２での物理チャンネル番号と周波数配置との関係は一例を示したものであり、本発明に係る実施形態において、図４に示した周波数配置に限定されるものではない。また、このチャンネルテーブルを保持する記憶媒体に制限はないが、本実施例においては不揮発性メモリ１８に記憶されているものとして説明する。
【００４０】
図３は、本実施例において、地上波デジタル放送で規定された物理チャンネル配置について自動チャンネルリスト作成を実行する場合の動作例を説明するためのフローチャートである。
【００４１】
まず、ステップＳ１０１からチャンネルスキャンを開始し、ステップＳ１０２に進む。ステップＳ１０２において制御部１７は、図４に示したチャンネル配置の内、例えば、最も小さな物理チャンネル番号”Ｎ＝５”を選択し、ステップＳ１０３に進む。
【００４２】
ステップＳ１０３において制御部１７は、物理チャンネル番号“Ｎ”に応じた選局周波数（ｆｃ）とチャンネル帯域幅を、不揮発性メモリ１８のチャンネルテーブルから取得し、ステップＳ１０４に進む。次にステップＳ１０４において制御部１７は、Ｓ１０３において取得した選局周波数での選局とＳＡＷフィルタ９aの通過帯域特性を７ＭＨｚとするように復調部１１aを介して第１の選局部２を制御し、ステップＳ１０５に進む。次にステップＳ１０５において制御部１７は、第１の選局部２で選局したＩＦ信号に対して復調処理を施すように、復調部１１aを制御し、ステップＳ１０６に進む。
【００４３】
ステップＳ１０６において制御部１７は、復調部１１aからＴＰＳ検出信号を取得し、ステップＳ１０７に進む。次にステップＳ１０７において制御部１７は、復調部１１a内のＴＰＳ復調部２７でＴＰＳ情報を検出できているか否かを判定し、ＴＰＳ情報を検出できている場合（ＴＰＳ検出信号が“１”の場合）はステップＳ１０８に進み、ＴＰＳ情報を検出できていない場合（ＴＰＳ検出信号が“０”の場合）はステップＳ１２５に進む。
【００４４】
ステップＳ１０８において制御部１７は、復調部１１aから誤り訂正同期信号を取得し、ステップＳ１０９に進む。次にステップＳ１０９において制御部１７は、復調部１１a内の誤り訂正部２９で誤り訂正処理が同期しているか否かを判定し、誤り訂正処理が同期している場合（誤り訂正同期信号が“１”の場合）はステップＳ１１０に進み、誤り訂正処理が同期していない場合（誤り訂正同期信号が“０”の場合）はステップＳ１２５に進む。
【００４５】
なお、ステップＳ１０９での判定は、復調部１１a内の検波部２８から供給された周波数領域信号についての信号品質情報がある規定値を超えるか否か、あるいは、復調部１１a内の誤り訂正部２９から供給される誤り訂正処理でのビット誤り率が規定値を下回るか否かで判断しても良い。
【００４６】
ステップＳ１１０において制御部１７は、復調部１１aから周波数誤差を取得し、ステップＳ１１１に進む。次にステップＳ１１１において制御部１７は、ステップＳ１１０において取得した周波数誤差からＯＦＤＭ信号のキャリア周波数オフセット量（ｆoffset）を算出しステップＳ１１２に進む。Ｓ１１１での周波数誤差からキャリア周波数オフセット量への算出は図５に従うものとする。
【００４７】
ステップＳ１１２において制御部１７は、多重分離部１２から番組配列情報を取得し、ステップＳ１１３に進む。また、ステップＳ１１２において制御部１７は、番組配列情報取得に要する時間を、例えば最大10秒まで継続するように制御する。この番組配列情報取得に対する待機時間は、番組配列情報に含まれる各種テーブルの内で伝送周期が最も長いＰＡＴの伝送周期以上であることが望ましい。
【００４８】
次にステップＳ１１３において制御部１７は、番組配列情報を取得できたか否かを判定し、番組配列情報の一部または全てを取得できた場合にはステップＳ１１４に進み、番組配列情報を取得できなかった場合にはステップＳ１２５に進む。
【００４９】
ステップＳ１１４に達した場合、選局している物理チャンネルにデジタル放送波が存在していることとなる。
【００５０】
次にステップＳ１１４において制御部１７は、Ｓ１１１において取得したキャリア周波数オフセット量を選局周波数（ｆｃ）に加えた周波数（ｆｃ＋ｆoffset）で選局するように、復調部１１aを介して第１の選局部２を制御し、ステップＳ１１５に進む。ここで、foffset=0であればステップＳ１１４を省略しても差し支えない。
【００５１】
次にステップＳ１１５において制御部１７は、Ｓ１１１において取得したキャリア周波数オフセット量を選局周波数（ｆｃ）に加えた周波数（ｆｃ＋ｆoffset）で選局するように、復調部１１ｂを介して第２の選局部３を制御し、ステップＳ１１６に進む。即ち、ステップＳ１１５においては、第１の選局部２と第２の選局部３の局部発振器で生成している局部発振信号の局部発振周波数が同じ設定になる。
【００５２】
ステップＳ１１６において制御部１７は、復調部１１a内の検波部２８から供給された信号品質情報と、復調部１１a内の誤り訂正部２９から供給されたビット誤り率またはパケット誤り率とを復調制御部３０から取得し、不揮発性メモリ１８に一時記憶してステップＳ１１７に進む。
【００５３】
次にステップＳ１１７において制御部１７は、周波数（ｆｃ＋ｆoffset＋ｆstep）で選局するように、復調部１１ｂを介して第２の選局部３を制御し、ステップＳ１１８に進む。即ち、ステップＳ１１７においては、第１の選局部２の局部発振器で生成している局部発振信号の局部発振周波数に対して、第２の選局部３の局部発振器で生成している局部発振信号の局部発振周波数がfstepだけ高くなる。
【００５４】
ステップＳ１１８において制御部１７は、復調部１１a内の検波部２８から供給された信号品質情報と、復調部１１a内の誤り訂正部２９から供給されたビット誤り率またはパケット誤り率とを復調部１１から取得し、一時記憶してステップＳ１１９に進む。
【００５５】
次にステップＳ１１９において制御部１７は、周波数（ｆｃ＋ｆoffset-ｆstep）で選局するように、復調部１１ｂを介して第２の選局部３を制御し、ステップＳ１２０に進む。即ち、ステップＳ１１９においては、第１の選局部２の局部発振器で生成している局部発振信号の局部発振周波数に対して、第２の選局部３の局部発振器で生成している局部発振信号の局部発振周波数がfstepだけ低くなる。
【００５６】
ステップＳ１２０において制御部１７は、復調部１１a内の検波部２８から供給された信号品質情報と、復調部１１a内の誤り訂正部２９から供給されたビット誤り率またはパケット誤り率とを復調部１１から取得し、一時記憶してステップＳ１２１に進む。
【００５７】
次に、ステップ１２１において制御部１７は、Ｓ１１６において取得した信号品質情報とビット誤り率またはパケット誤り率と、Ｓ１１８において取得した信号品質情報とビット誤り率またはパケット誤り率と、Ｓ１２０において取得した信号品質情報とビット誤り率またはパケット誤り率と、を比較し、最も受信状態が良好なfstep_bestを判定し、ステップ１２２に進む。ここでのfstep_bestとは、例えば、Ｓ１１６において取得した受信状態が最も良好であればｆstep_best＝０、Ｓ１１８において取得した受信状態が最も良好であればｆstep_best＝１、Ｓ１２０において取得した受信状態が最も良好であればｆstep_best＝−１となる。また、この時の受信状態の判定はＣＮＲ、ＳＮＲ、ＭＥＲ、ＢＥＲ、ＰＥＲの内、少なくとも一つを指標として判定する。ただし、必ずしも最も良好な受信状態に限らず、比較的良好な受信状態を選んでもよい。
【００５８】
次にステップＳ１２２において制御部１７は、ステップＳ１０４において選局した選局周波数（ｆｃ）と、ステップＳ１１１において取得した周波数誤差（ｆoffset）と、ステップＳ１１３において取得した番組配列情報と、Ｓ１２１において判別したｆstep_bestと、を元にチャンネルリストを作成し、不揮発性メモリ１８に記憶させるように制御して、ステップＳ１２３に進む。
【００５９】
次にステップＳ１２３において、制御部１７は、不揮発メモリ１８に記憶されたチャンネルテーブルにある物理チャンネルを選局したか否かを判定し、例えば、図４に示したチャンネルテーブルを持つ場合には、Ｎ＝６９であればステップＳ１２６に進み、Ｎが６９以下であればステップＳ１２４に進んで次の物理チャンネルを設定し、すべての物理チャンネルが終了するまでステップＳ１０３からステップＳ１２３のループを繰り返す。
【００６０】
以上の操作により、各物理チャンネルについて、最適な受信状態となるために、第１の選局部２と第２の選局部３の局部発振周波数がどのような関係に良いかを示すｆstep_bestを含むチャンネルリストが完成する。ただし、厳密に最適である必要はなく比較したなかで最適であればよい。また必ずしも比較した中で最適な受信状態に限らず、比較的適した受信状態であってもよい。
【００６１】
図６は、チャンネルスキャンが完了した後に、初めて選局が実行される際の選局動作例を説明するためのフローチャートである。ここでいう初めてとは、装置として初めてである必要はなく、例えば移設後に初めて選局を実行する場合も含む。
【００６２】
Ｓ２０１において、ユーザ操作によって、受信部１で仮想チャンネル番号”Ｌ”を選局する処理を開始され、ステップ２０２に進む。なお受信部１は、図１の選局部２と復調部１１ａの総称とする。同様に受信部２は、図１の選局部３と復調部１１ｂの総称とする。
【００６３】
次にステップＳ２０２において制御部１７は、不揮発性メモリ１８に記憶させたチャンネルリストから仮想チャンネル番号“Ｌ”に応じた物理チャンネル番号“Ｐ”、中心周波数“ｆｃ”、周波数オフセット“ｆoffset”を取得し、ステップＳ２０３に進む。
【００６４】
次にステップＳ２０３において制御部１７は、Ｓ２０２において取得した中心周波数“ｆｃ”と周波数オフセット“ｆoffset”により、周波数（ｆｃ＋ｆoffset）で選局するように、復調部１１aを介して第１の選局部２を制御し、ステップＳ２０４に進む。
【００６５】
次にステップＳ２０４において制御部１７は、第１の選局部２で選局したＩＦ信号に対して復調処理を施すように、復調部１１aを制御し、ステップＳ２０５に進む。
【００６６】
次にステップ２０５において制御部１７は、受信部１の現在の選局状態として、物理チャンネル番号“Ｐ”、中心周波数“ｆｃ”、周波数オフセット“ｆoffset”、”shift_flag_１=0”を不揮発性メモリ１８に記憶させステップＳ２０６に進み、選局処理を終了させる。
【００６７】
図７は、受信部１がある物理チャンネルを選局している状態において、受信部２を選局する場合の動作例を説明するためのフローチャートである。なお、受信部２がある物理チャンネルを選局している状態において、受信部１を選局する場合にも同様の動作例となる。
【００６８】
まず、Ｓ３０１において、ユーザ操作によって、受信部２で仮想チャンネル番号”Ｍ”を選局する処理を開始され、ステップ３０２に進む。
【００６９】
次にステップＳ３０２において制御部１７は、不揮発性メモリ１８に記憶させたチャンネルリストから仮想チャンネル番号“Ｍ”に応じた物理チャンネル番号“Ｑ”、中心周波数“ｆｃ”、周波数オフセット“ｆoffset”、およびを“ｆstep_best”取得し、ステップＳ３０３に進む。
【００７０】
次にステップＳ３０３において制御部１７は、受信部１の選局状態（物理チャンネル“Ｐ”およびShif_flag_1を取得し、ステップＳ３０４に進む。次にステップＳ３０４において制御部１７は、受信部１が選局している物理チャンネル“Ｐ”と受信部２が選局しようとしている物理チャンネル“Ｑ”が同じか否かを判定し、同じであればステップＳ３０５に進み、同じでなければステップＳ３０７に進む。
【００７１】
次にステップＳ３０５において制御部１７は、ステップＳ３０３において取得したShift_flag_1が“０”であるか否かを判定し、“０”であればステップＳ３０６に進み、“０”でなければステップＳ３０７に進む。
【００７２】
次にステップＳ３０６において制御部１７は、Ｓ３０２において取得した中心周波数“ｆｃ”と周波数オフセット“ｆoffset”と“ｆstep_best”により、周波数（ｆｃ＋ｆoffset+ｆstep_best）で選局するように、復調部１１ｂを介して第２の選局部３を制御し、ステップＳ３０８に進む。ステップＳ３０８ではShift_flag_2を“１”に設定し、ステップＳ３１０に進む。
【００７３】
一方、ステップＳ３０７において制御部１７は、Ｓ３０２において取得した中心周波数“ｆｃ”と周波数オフセット“ｆoffset”により、周波数（ｆｃ＋ｆoffset）で選局するように、復調部１１ｂを介して第２の選局部３を制御し、ステップＳ３０９に進む。ステップＳ３０９ではShift_flag_2を“０”に設定し、ステップＳ３１０に進む。
【００７４】
次にステップＳ３１０において制御部１７は、第２の選局部３で選局したＩＦ信号に対して復調処理を施すように、復調部１１ｂを制御し、ステップＳ３０９に進む。
【００７５】
最後に、ステップＳ３１１において制御部１７は、受信部２の現在の選局状態として、物理チャンネル番号“Ｑ”、中心周波数“ｆｃ”、周波数オフセット“ｆoffset”、”shift_flag_2”の各設定を不揮発性メモリ１８に記憶させステップＳ３１０に進み、選局処理を終了させる。
【００７６】
以上のように、本実施例では、複数の選局部を搭載する受信装置において、隣接する物理チャンネルにアナログ放送信号やデジタル放送信号が伝送されている環境下であっても、妨害波の影響を最小限に抑え、最適な受信状態を保持することを可能にする受信装置及び受信装置の制御方法を提供することができる。
【００７７】
上記実施例では、欧州における地上デジタル放送方式であるＤＶＢ−Ｔにおける動作の詳細を説明したが、他の放送方式においても類似の効果を得ることが可能である。
【図面の簡単な説明】
【００７８】
【図１】地上デジタル放送受信装置の構成例を示す。
【図２】地上デジタル放送受信装置の復調部の構成例示す。
【図３】地上波デジタル放送で規定された物理チャンネル配置について自動チャンネルリスト作成を実行する場合の処理例を示す。
【図４】物理チャンネル番号“Ｎ”と地上デジタル放送の中心周波数及びチャンネル帯域幅との関係例を示す。
【図５】周波数誤差からキャリア周波数オフセット量への算出方法例を示す。
【図６】チャンネルスキャンが完了した後に、初めて選局が実行される際の選局処理例を示す。
【図７】受信部１がある物理チャンネルを選局されている状態において、受信部２を選局する場合の処理例を示す。
【符号の説明】
【００７９】
１…地上デジタル放送受信装置、２…第１の選局部（受信部）、３…第２の選局部（受信部）、４…広帯域アンプ、５…分配器、６…ミキサ回路、７…局部発振器、８…ＰＬＬ回路、９…ＳＡＷフィルタ、１０…ＡＧＣアンプ、１１…復調部、１２…多重分離部、１３…映像復号部、１４…音声復号部、１５…映像表示部、１６…音声出力部、１７…制御部、１８…不揮発性メモリ、１９…記憶媒体、２０…受信アンテナ、２１…Ａ／Ｄ変換部、２２…直交復調部、２３…周波数誤差補正部、２４…ＦＦＴ演算部、２５…周波数誤差算出部、２６…等化処理部、２７…ＴＰＳ復調部、２８…検波部、２９…誤り訂正部、３０…復調制御部
【図１】
2009225388.tif 000003
【図２】
2009225388.tif 000004
【図３】
2009225388.tif 000005
【図４】
2009225388.tif 000006
【図５】
2009225388.tif 000007
【図６】
2009225388.tif 000008
【図７】
2009225388.tif 000009